(57)【要約】【課題】着脱式の培土器を用いずに畝立て作業を行うことができ、かつ、畝立て作業を行うか否かを容易に変更することができる歩行型耕耘管理機を提供することを目的とする。【解決手段】耕耘作業を行うためのロータリ耕耘装置３０と、畝立て作業を行うための畝立て板３６とを備え、この畝立て板３６をロータリ耕耘装置３０の後側に配置した耕耘部３を備える歩行型耕耘管理機において、畝立て板３６は、ロータリ耕耘装置３０における耕耘カバー３３の後部の円弧状の曲面に沿ってその円弧方向にスライド可能に取り付け、そのスライドによって、この耕耘カバー３３から土壌に向かって突出して接地する畝立て作業状態と、耕耘カバー３３から土壌に向かって突出しない非畝立て作業状態とに切替可能に構成する。【選択図】図２
2010104302.tif 000002
【特許請求の範囲】
【請求項１】
耕耘作業を行うための耕耘装置と、畝立て作業を行うための畝立て板とを有し、この畝立て板を前記耕耘装置の後側に配置した耕耘部を備える歩行型耕耘管理機であって、
前記畝立て板は、前記耕耘装置における耕耘カバーの後部の円弧状の曲面に沿ってその円弧方向にスライド可能に取り付け、そのスライドによって、前記耕耘カバーから土壌に向かって突出して接地する畝立て作業状態と、前記耕耘カバーから土壌に向かって突出しない非畝立て作業状態とに切替可能に構成する歩行型耕耘管理機。
【請求項２】
前記畝立て板は、前記耕耘カバーの後部の外周面に沿った曲面を有する板体で構成する、請求項１に記載の歩行型耕耘管理機。
【請求項３】
前記畝立て板は、前記耕耘カバーの内側に配置する、請求項１または請求項２に記載の歩行型耕耘管理機。
【請求項４】
前記畝立て板は、前記耕耘カバーの外側に配置する、請求項１または請求項２に記載の歩行型耕耘管理機。
【請求項５】
耕耘作業を行うための耕耘装置と、畝立て作業を行うための畝立て板とを有し、この畝立て板を前記耕耘装置の後側に配置した耕耘部を備える歩行型耕耘管理機であって、
前記耕耘装置は、耕耘カバーの後部に当該耕耘カバーに対して略上下方向に回動可能に取り付けた耕耘回動カバーを有し、
前記畝立て板は、前記耕耘回動カバーの円弧状の曲面に沿ってその円弧方向にスライド可能に取り付け、そのスライドによって、この耕耘回動カバーから土壌に向かって突出して接地する畝立て作業状態と、耕耘カバーから土壌に向かって突出しない非畝立て作業状態とに切替可能に構成する歩行型耕耘管理機。
【発明の詳細な説明】
【技術分野】
【０００１】
本発明は、機体の後部に耕耘部を備える歩行型耕耘管理機に関する。
【背景技術】
【０００２】
従来、機体の前部に走行部を、後部にロータリ耕耘装置を有する耕耘部を備えて、この耕耘部の後部に培土器を取り付け、走行部により走行しながら、耕耘部により耕耘作業を行うと同時に、培土器により土壌に畝を成形する畝立て作業を実施可能とする歩行型耕耘管理機は公知となっている。このような歩行型耕耘管理機において、培土器は機体の後部に培土器支持杆を介して取り付けられていた（例えば、特許文献１参照。）。
【特許文献１】特開平９−２９８９０２号公報
【発明の開示】
【発明が解決しようとする課題】
【０００３】
従来のような歩行型耕耘管理機において、培土器は鋼板を折り曲げて構成され、培土器支持杆に溶接等で固定され取り付けられていた。この培土器が取り付けられた培土器支持杆は、機体後部に設けられた取付孔に挿入され、機体後部にボルト等で固定され取り付けられていた。そのため、培土器および培土器支持杆が大変重くなり、これらの機体の後部への着脱作業の労力が大きくなっていた。しかも、培土器の着脱作業時には工具が必要となり、着脱作業が面倒なものとなっていた。そのうえ、培土器が不要な場合は、培土器を機体後部から取り外して別途保管する必要があり、保管スペースを用意しなければならなかった。
【０００４】
また、重量のある培土器および培土器支持杆が機体後部に取り付けられることから、歩行型耕耘管理機全体の重心が後方寄りになり、歩行型耕耘管理機に備えられるハンドルの操作荷重が増大して、旋回時におけるハンドルの操作が困難となっていた。
【０００５】
そこで本発明は、着脱式の培土器を用いずに畝立て作業を行うことができ、かつ、畝立て作業を行うか否かを容易に変更することができる歩行型耕耘管理機を提供することを目的とする。
【課題を解決するための手段】
【０００６】
本発明の解決しようとする課題は以上の如くであり、次にこの課題を解決するための手段を説明する。
【０００７】
請求項１においては、耕耘作業を行うための耕耘装置と、畝立て作業を行うための畝立て板とを有し、この畝立て板を前記耕耘装置の後側に配置した耕耘部を備える歩行型耕耘管理機であって、前記畝立て板は、前記耕耘装置における耕耘カバーの後部の円弧状の曲面に沿ってその円弧方向にスライド可能に取り付け、そのスライドによって、前記耕耘カバーから土壌に向かって突出して接地する畝立て作業状態と、前記耕耘カバーから土壌に向かって突出しない非畝立て作業状態とに切替可能に構成する歩行型耕耘管理機ものである。
【０００８】
請求項２においては、前記畝立て板は、前記耕耘カバーの後部の外周面に沿った曲面を有する板体で構成するものである。
【０００９】
請求項３においては、前記畝立て板は、前記耕耘カバーの内側に配置するものである。
【００１０】
請求項４においては、前記畝立て板は、前記耕耘カバーの外側に配置するものである。
【００１１】
請求項５においては、耕耘作業を行うための耕耘装置と、畝立て作業を行うための畝立て板とを有し、この畝立て板を前記耕耘装置の後側に配置した耕耘部を備える歩行型耕耘管理機であって、前記耕耘装置は、耕耘カバーの後部に当該耕耘カバーに対して略上下方向に回動可能に取り付けた耕耘回動カバーを有し、前記畝立て板は、前記耕耘回動カバーの円弧状の曲面に沿ってその円弧方向にスライド可能に取り付け、そのスライドによって、この耕耘回動カバーから土壌に向かって突出して接地する畝立て作業状態と、耕耘カバーから土壌に向かって突出しない非畝立て作業状態とに切替可能に構成するものである。
【発明の効果】
【００１２】
本発明の効果として、以下に示すような効果を奏する。
【００１３】
請求項１においては、従来のような着脱式の培土器を用いなくても、常時取り付けたままの畝立て板を用いて畝立て作業を行うことができる。また、畝立て板をスライドさせるだけの簡単な操作で畝立て板の畝立て作業状態と非畝立て作業状態とを切り替えて、畝立て作業を行うか否かを容易に変更することができる。しかも、畝を成形する場合には、畝立て板をスライドさせるときに、その耕耘カバーからの突出量を調整することによって、成形する畝の形状を適宜に変更することができる。
【００１４】
請求項２においては、畝立て板を耕耘カバーに対して円滑にスライドさせることができる。
【００１５】
請求項３においては、畝立て板を耕耘カバーに簡単に取り付けてスライド可能に構成することができる。
【００１６】
請求項４においては、畝立て板を耕耘カバーに簡単に取り付けてスライド可能に構成することができる。
【００１７】
請求項５においては、従来のような着脱式の培土器を用いなくても、常時取り付けたままの畝立て板を用いて畝立て作業を行うことができる。また、畝立て板をスライドさせるだけの簡単な操作で畝立て板の畝立て作業状態と非畝立て作業状態とを切り替えて、畝立て作業を行うか否かを容易に変更することができる。しかも、畝を成形する場合には、畝立て板をスライドさせるときに、耕耘回動カバーを回動させて、畝立て板の耕耘カバーからの突出量を二段階で調整することが可能となり、その突出量の調整によって、成形する畝の形状を大きな範囲で適宜に変更することができる。
【発明を実施するための最良の形態】
【００１８】
次に、本発明の歩行型耕耘管理機の実施形態を説明する。
【００１９】
まず、本発明の一実施形態に係る歩行型耕耘管理機１の構成について説明する。
【００２０】
図１に示すように、歩行型耕耘管理機１では、前部に走行部２が備えられ、後部に耕耘部３が備えられる。歩行型耕耘管理機１では、また、後上部に操縦部４が備えられる。
【００２１】
走行部２においては、機体フレーム５の前部にエンジン６が設けられ、機体フレーム５の後部に変速装置（不図示）が設けられる。機体フレーム５の前後中途部には伝動装置８が設けられ、エンジン６と変速装置との間に配置される。
【００２２】
前記変速装置のミッションケース９は前後方向に延長するように構成され、前部が機体フレーム５の下方に位置し、後部が機体フレーム５の後下方に位置するように配置される。ミッションケース９の前部には車軸１０が左右方向に延長するように軸支され、この車軸１０の左右の各端部に走行輪１１・１１が取り付けられる。
【００２３】
耕耘部３においては、前記変速装置の後部に耕耘作業を行うためのロータリ耕耘装置３０が設けられる。ロータリ耕耘装置３０では、ミッションケース９の後部に耕耘軸３１が左右方向に延長するように軸支され、この耕耘軸３１に複数の耕耘爪３２が適宜の間隔をとって放射状に植設される。
【００２４】
耕耘爪３２の上方および左右両側方には耕耘カバー３３が当該耕耘爪３２の回動軌跡にあわせて配置され、耕耘爪３２の後方にはゴムたれ３５が耕耘カバー３３と同程度の左右幅をもって配置される。こうして、複数の耕耘爪３２が耕耘カバー３３により上方から、また左右両側の上部で側方から覆われ、ゴムたれ３５により後方から覆われる。
【００２５】
ロータリ耕耘装置３０の後部には後述の畝立て板３６と尾輪装置３４とが設けられる。尾輪装置３４では、耕耘カバー３３の後部に支持フレーム４０が後方へ向けて突出するように設けられ、この支持フレーム４０に尾輪４１が支持杆４２を介して上下位置を調節可能に取り付けられる。ただし、支持フレーム４０には尾輪４１の代わりに耕深バー（抵抗棒）を取り付けることも可能である。
【００２６】
操縦部４においては、ミッションケース９の後側傾斜部にハンドル１２が後上方へ向けて斜設される。ハンドル１２の後端部にはグリップ１３が備えられるとともに、クラッチレバー１４やアクセルレバー等が設けられる。また、ミッションケース９に変速レバー１５が後上方へ向けて斜設され、ハンドル１２と並置される。
【００２７】
そして、このような歩行型耕耘管理機１において、動力がエンジン６から伝動装置８を介して前記変速装置に伝達可能とされ、この変速装置で変速された動力が走行輪１１・１１やロータリ耕耘装置３０の複数の耕耘爪３２に伝達可能とされて、走行輪１１・１１および複数の耕耘爪３２が回転可能とされる。また、操縦部４の各レバー等で走行部２や耕耘部３の各装置が操作可能とされる。
【００２８】
こうして、歩行型耕耘管理機１は、走行輪１１・１１により走行しながら、ロータリ耕耘装置３０により耕耘作業を行い、さらには尾輪装置３４の尾輪４１の上下位置を調節することによって、ロータリ耕耘装置３０の耕耘深さを変更することができるように構成される。そのうえで、歩行型耕耘管理機１は、後述するように、畝立て板３６により耕耘作業とともに畝立て作業を行うことができるように構成される。
【００２９】
次に、耕耘部３の第一実施形態の構成について説明する。
【００３０】
図１から図３に示すように、耕耘部３において、畝立て板３６はロータリ耕耘装置３０の後部に設けられる。畝立て板３６は、詳細にはロータリ耕耘装置３０に備えられる耕耘軸３１、複数の耕耘爪３２、耕耘カバー３３、ゴムたれ３５等の各部材のうち、耕耘カバー３３の後部に当該耕耘カバー３３に沿ってスライド可能に取り付けられ、耕耘爪３２の後方に配置される。
【００３１】
ここで、畝立て板３６が取り付けられる耕耘カバー３３は、上板３３ａと左右の側板３３ｂ・３３ｂとを有し、下方へ向けて開口する箱型とされる。上板３３ａは側面視で上方へ突出するように円弧状に湾曲され、左右方向を軸心方向として円弧状の曲面を有する半円筒状に構成される。上板３３ａはミッションケース９に取り付けられ、前端部が耕耘軸３１の前方付近に位置し、後端部が耕耘軸３１の後方付近に位置して、耕耘爪３２を上方から覆うように配置される。
【００３２】
左右の各側板３３ｂ・３３ｂは側面視で半円状に構成される。左右の側板３３ｂ・３３ｂはそれぞれ耕耘カバー３３の左右の端部に側面視で互いの円弧部をあわせて取り付けられ、耕耘爪３２の左右側方に配置される。こうして、耕耘カバー３３は耕耘爪３２の前上方と後上方、かつ左側方と右側方とにわたって設けられ、耕耘作業時に耕耘爪３２の回転により砕かれた土が上方や左右側方へ飛散するのを防止することができるように構成される。
【００３３】
図４（ａ）に示すように、畝立て板３６は耕耘カバー３３の上板３３ａの湾曲形状にあわせて湾曲され、耕耘カバー３３の後部の曲面に沿った曲面を有する板体で構成される。図４（ｂ）に示すように、この畝立て板３６は下部が左右幅が下方へ向けて漸次狭くなる略台形状または略三角形状とされる。そして、畝立て板３６は耕耘カバー３３のうち上板３３ａの内側に配置され、この上板３３ａの後部の円弧状の曲面に沿ってその円弧方向、ここでは略上下方向にスライド可能に取り付けられる。
【００３４】
なお、畝立て板３６は土壌に成形する畝の形状にあわせて下部の形状を変更するものであり、本実施形態のように、下部が略台形状または略三角形状としたものに限定するものではない。
【００３５】
畝立て板３６の上部には畝立て板３６を耕耘カバー３３に締結固定するための固定手段が設けられる。前記固定手段は、本実施形態においては、左右一対のボルト３６ａ・３６ａ、各ボルト３６ａ・３６ａに対応する座金３６ｂ・３６ｂや蝶ナット３６ｃ・３６ｃで構成される。左右一対のボルト３６ａ・３６ａは畝立て板３６の上部の外側面に左右方向に所定間隔をとって固定され、この外側面からこれに対して垂直方向に突出される。ただし、ボルトの数は限定するものではなく、一つまたは三つ以上であってもよい。
【００３６】
この場合には、また、耕耘カバー３３のうち上板３３ａの後部の左右中央付近に左右一対の長孔３３ｃ・３３ｃが形成され、それぞれ畝立て板３６の左右の各ボルト３６ａ・３６ａと左右方向で一致するように配置される。左右の長孔３３ｃ・３３ｃはそれぞれ畝立て板３６の上下幅と同程度の上下幅をもって略上下方向に延長され、互いに平行に並べられる。ただし、各長孔３３ｃ・３３ｃは後述するようにボルト３６ａ・３６ａを挿通させて移動可能とする溝を備えたゴム板等で覆い、略閉塞状態とすることも可能である。
【００３７】
そして、畝立て板３６の固定時に、畝立て板３６が耕耘カバー３３の内側にその上板３３ａに沿って配置され、畝立て板３６の各ボルト３６ａ・３６ａが上板３３ａの左右の長孔３３ｃ・３３ｃに内側から外側へ向かって挿通される。つづいて、各ボルト３６ａ・３６ａの各長孔３３ｃ・３３ｃから突出する螺子部に外側から座金３６ｂ・３６ｂが外嵌され、蝶ナット３６ｃ・３６ｃが螺合される。こうして、畝立て板３６が耕耘カバー３３に締結固定され、耕耘カバー３３に対して任意の上下位置で取り付けられる。
【００３８】
このような構成において、耕耘作業時を行うとともに、畝立て作業を行う場合には、固定手段の蝶ナット３６ｃ・３６ｃが緩められ、畝立て板３６が耕耘カバー３３に対して下方へスライドされる。畝立て板３６は適宜にスライドされた後、蝶ナット３６ｃ・３６ｃが締め付けられることによって、再び耕耘カバー３３に締結固定され、図２（ｂ）、図３（ｂ）に示すように、耕耘カバー３３から下方へ向かって、即ち土壌へ向かって所望の突出量だけ突出して接地する畝立て作業状態とされる。
【００３９】
畝立て板３６が畝立て作業状態とされたうえで耕耘作業が行われると、機体の前進走行にともなって、ロータリ耕耘装置３０の耕耘爪３２で破砕された土が、その後方に配置される畝立て板３６により左右方向に押し退けられる。これにより、畝立て板３６の下部の形状にあわせた溝が土壌に成形され、その両側に畝が成形される。成形時における畝の高さ及び幅（溝の深さ及び幅）は、畝立て板３６の突出量が変更されることによって調節される。
【００４０】
また、耕耘作業のみを行って、畝立て作業を行わない場合には、固定手段の蝶ナット３６ｃ・３６ｃが緩められ、畝立て板３６が耕耘カバー３３に対して上方へスライドされる。畝立て板３６は適宜にスライドされた後、蝶ナット３６ｃ・３６ｃが締め付けられることにより再び耕耘カバー３３に締結固定され、図２（ａ）、図３（ａ）に示すように、耕耘カバー３３から下方へ向かって、即ち土壌へ向かって突出しないで接地せず、この耕耘カバー３３の内側に収納される非畝立て作業状態とされる。
【００４１】
畝立て板３６が非畝立て作業状態とされたうえで耕耘作業が行われると、機体の前進走行にともなって、ロータリ耕耘装置３０の耕耘爪３２で破砕された土が、その後方に配置される畝立て板３６の下部により左右方向に押し退けられることなく、そのまま土壌に堆積される。これにより、土壌に畝立て板３６の下部の形状にあわせた溝が成形されず、畝も成形されない。
【００４２】
なお、畝立て板３６をスライドさせる構成は、本実施形態のような固定手段とガイド溝を用いたものでなくてもよく、例えば、畝立て板の左右の外周端部を嵌入する左右一対のレールを耕耘カバー３３の後部の内側面に略上下方向に延長するように設けて、畝立て板３６をレールに沿って略上下方向にスライド可能とし、ストッパ部材等で適宜の上下位置で固定できるようなものでもよい。
【００４３】
次に、耕耘部３の第二実施形態の構成について説明する。ただし、第一実施形態の構成の部材と同一の部材については同一の符号を付し、第一実施形態の構成と異なる部分を中心に説明する。
【００４４】
この構成では、図５、図６に示すように、畝立て板３６は耕耘カバー３３のうち上板３３ａの外側に配置され、この上板３３ａの後部の円弧状の曲面に沿ってその円弧方向、ここでは略上下方向にスライド可能に取り付けられる。畝立て板３６の左右中央上部には、この畝立て板３６がスライド時に支持フレーム４０と干渉しないように矩形状の切り込み部３６ｄが形成される。
【００４５】
畝立て板３６の上部には畝立て板３６を耕耘カバー３３に締結固定するための固定手段が設けられる。第一実施形態の構成と同様に、前記固定手段は左右一対のボルト３６ａ・３６ａ、各ボルト３６ａ・３６ａに対応する座金３６ｂ・３６ｂや蝶ナット３６ｃ・３６ｃで構成される。また、耕耘カバー３３のうち上板３３ａの後部の左右中央付近に、左右一対の長孔３３ｃ・３３ｃが形成される。ただし、各ボルト３６ａ・３６ａはその径が長孔３３ｃ・３３ｃの左右幅よりも大きなものとされる。
【００４６】
そして、畝立て板３６の固定時には、畝立て板３６が耕耘カバー３３の外側にその上板３３ａに沿って配置され、各ボルト３６ａ・３６ａが上板３３ａの左右の長孔３３ｃ・３３ｃおよび畝立て板３６のボルト穴３６ｅ・３６ｅに内側から外側へ向かって挿通される。つづいて、各ボルト３６ａ・３６ａの各長孔３３ｃ・３３ｃから突出する螺子部に外側から座金３６ｂ・３６ｂが外嵌され、蝶ナット３６ｃ・３６ｃが螺合される。こうして、畝立て板３６が耕耘カバー３３に締結固定され、耕耘カバー３３に対して任意の上下位置で取り付けられる。
【００４７】
このような構成により、第一実施形態の構成と同様に、畝立て板３６が略上下方向に適宜にスライド可能とされ、そのスライドによって、図５（ｂ）、図６（ｂ）に示すように、畝立て板３６が、畝立て作業状態とされた場合に、耕耘作業を行うとともに、畝立て作業を行うことが可能とされる。一方、図５（ａ）、図６（ａ）に示すように、畝立て板３６が非畝立て作業状態とされた場合に、耕耘作業のみを行って、畝立て作業を行わないようにすることが可能とされる。
【００４８】
次に、耕耘部３の第三実施形態の構成について説明する。ただし、第一実施形態の構成の部材と同一の部材については同一の符号を付し、第一実施形態の構成と異なる部分を中心に説明する。
【００４９】
この構成では、図７、図８、図９に示すように、畝立て板３６は耕耘カバー３３のうち上板３３ａの外側であって、耕耘回動カバー３８のうち後板３８ｂの内側に配置され、この後板３８ｂの後部の円弧状の曲面に沿ってその円弧方向、ここでは略上下方向にスライド可能に取り付けられる。畝立て板３６は、図４に示すように、第一実施形態の構成のものと同一とされる。
【００５０】
図８に示すように、畝立て板３６が取り付けられる耕耘回動カバー３８は、後板３８ｂと左右の側板３８ａ・３８ａとを有し、前方へ向けて開口するコ字型とされる。後板３８ｂは側面視で後方へ突出するように円弧状に湾曲された形状に構成される。後板３８ｂは耕耘カバー３３よりも若干大きな左右幅をもって左右方向に延長され、耕耘カバー３３の後部または複数の複数の耕耘爪３２を後方から被覆可能に配置される。後板３８ｂの左右中央上部には、この畝立て板３６が回動時に支持フレーム４０と干渉しないように矩形状の切り込み部３８ｅが形成される。
【００５１】
図７に示すように、左右の各側板３８ａ・３８ａは側面視で略扇形状に構成される。左右の側板３８ａ・３８ａはそれぞれ後板３８ｂの左右の端部に側面視で互いの円弧部をあわせて取り付けられ、耕耘カバー３３の後部または複数の耕耘爪３２の左右側方に配置される。
【００５２】
左右の各側板３８ａ・３８ａは、また、それぞれ円弧中心部で耕耘カバー３３から左右方向に突出される耕耘軸３１に枢支される。こうして、左右の各側板３８ａ・３８ａ、ひいては耕耘回動カバー３８全体が耕耘軸３１回りに略上下方向に回動可能とされ、耕耘カバー３３に対して任意の上下位置で取付可能とされる。
【００５３】
左右の各側板３８ａ・３８ａの後部には耕耘軸３１を中心とする円弧状の長孔３８ｃ・３８ｃが設けられ、この長孔３８ｃ・３８ｃに耕耘カバー３３の左右の各側板３３ｂ・３３ｂから突出されるボルト３９ａ・３９ａが挿通される。そして、各長孔３８ｃ・３８ｃから突出するボルト３９ａ・３９ａの螺子部に外側から座金３９ｂ・３９ｂが外嵌され、蝶ナット３９ｃ・３９ｃが螺合される。こうして、耕耘回動カバー３８が耕耘カバー３３に締結固定され、耕耘カバー３３に対して任意の上下位置で取り付けられる。
【００５４】
耕耘回動カバー３８が耕耘カバー３３にこれに対して任意の上下位置で取り付けられた状態では、蝶ナット３９ｃ・３９ｃが緩められることによって、耕耘回動カバー３８は耕耘カバー３３に対して上方または下方へ回動可能とされる。耕耘回動カバー３８は適宜に回動された後、蝶ナット３９ｃ・３９ｃが締め付けられることによって、再び耕耘カバー３３に締結固定され、回動位置に応じて耕耘カバー３３に対して所望の量だけ上方または下方へ移動した状態とされる。
【００５５】
また、畝立て板３６の上部には畝立て板３６を耕耘カバー３３に締結固定するための固定手段が設けられる。第一実施形態の構成と同様に、前記固定手段は左右一対のボルト３６ａ・３６ａ、各ボルト３６ａ・３６ａに対応する座金３６ｂ・３６ｂや蝶ナット３６ｃ・３６ｃで構成される。この場合には、耕耘回動カバー３８の後板３８ｂの左右中央付近に、第一実施形態の構成における左右一対の長孔３３ｃ・３３ｃと同様の形状である左右一対の長孔３８ｄ・３８ｄが形成される。
【００５６】
そして、畝立て板３６の固定時には、畝立て板３６が耕耘カバー３３の上板３３ａの外側であって、耕耘回動カバー３８の後板３８ｂの内側に、その後板３８ｂに沿って配置され、畝立て板３６に固定された各ボルト３６ａ・３６ａが後板３８ｂの左右の長孔３８ｄ・３８ｄに内側から外側へ向かって挿通される。つづいて、各長孔３８ｄ・３８ｄから突出する各ボルト３６ａ・３６ａに外側から座金３６ｂ・３６ｂが外嵌され、蝶ナット３６ｃ・３６ｃが螺合される。こうして、畝立て板３６が耕耘回動カバー３８に締結固定され、耕耘回動カバー３８に対して任意の上下位置で取り付けられる。
【００５７】
このような構成において、耕耘作業時を行うとともに、畝立て作業を行う場合には、各側板３８ａ・３８ａの蝶ナット３９ｃ・３９ｃが緩められ、耕耘回動カバー３８が耕耘カバー３３に対して下方へスライドされる。耕耘回動カバー３８は適宜にスライドされた後、蝶ナット３９ｃ・３９ｃが締め付けられることによって、再び耕耘カバー３３に締結固定される。
【００５８】
次に、固定手段の蝶ナット３６ｃ・３６ｃが緩められ、畝立て板３６が耕耘回動カバー３８に対して下方へスライドされる。畝立て板３６は適宜にスライドされた後、蝶ナット３６ｃ・３６ｃが締め付けられることによって、再び耕耘カバー３３に締結固定され、図７（ｂ）、図８（ｂ）に示すように、耕耘回動カバー３８から所望の突出量だけ突出して接地する畝立て作業状態とされる。
【００５９】
また、耕耘作業のみを行って、畝立て作業を行わない場合には、固定手段の蝶ナット３６ｃ・３６ｃが緩められ、畝立て板３６が耕耘回動カバー３８に対して上方へスライドされる。畝立て板３６は適宜にスライドされた後、蝶ナット３６ｃ・３６ｃが締め付けられることにより再び耕耘回動カバー３８に締結固定され、図７（ａ）、図８（ａ）に示すように、耕耘回動カバー３８から下方へ突出しないで接地せず当該耕耘回動カバー３８の内側に収納される状態とされる。
【００６０】
この場合には、各側板３８ａ・３８ａの蝶ナット３９ｃ・３９ｃが緩められ、耕耘回動カバー３８が耕耘カバー３３に対して上方へスライドされる。耕耘回動カバー３８は適宜にスライドされた後、蝶ナット３９ｃ・３９ｃが締め付けられることによって、再び耕耘カバー３３に締結固定される。このとき、耕耘回動カバー３８は耕耘カバー３３に対して任意の上下位置に設定される。
【００６１】
このような構成により、第一実施形態の構成と同様に、畝立て板３６が略上下方向に適宜にスライド可能とされ、そのスライドによって、畝立て板３６が畝立て作業状態とされた場合に、耘作業時を行うとともに、畝立て作業を行うことが可能とされる。一方、畝立て板３６が非畝立て作業状態とされた場合に、耕耘作業のみを行って、畝立て作業を行わないようにすることが可能とされる。
【００６２】
特にこの場合、畝立て作業を行うときには、耕耘回動カバー３８が略上下方向に適宜に回動されたうえで、畝立て板３６がスライド可能とされ、これにより畝立て板３６の耕耘可動カバー３８、ひいては耕耘カバー３３に対する突出量が大きな範囲で調整可能とされる。たとえば、図９に示すように、耕耘回動カバー３８が最下位置に回動された状態で、畝立て板が最下位置までスライドされると、耕耘回動カバー３８がない場合に比べて、畝立て板の最下位置がより低いものとされる。
【００６３】
以上のように、本発明の一実施形態に係る歩行型耕耘管理機１は、耕耘作業を行うためのロータリ耕耘装置３０と、畝立て作業を行うための畝立て板３６とを備え、この畝立て板３６をロータリ耕耘装置３０の後側に配置した耕耘部３を備えるものであって、畝立て板３６は、ロータリ耕耘装置３０における耕耘カバー３３の後部の円弧状の曲面に沿ってその円弧方向にスライド可能に取り付け、そのスライドによって、この耕耘カバー３３から土壌に向かって突出して接地する畝立て作業状態と、耕耘カバー３３から土壌に向かって突出しない非畝立て作業状態とに切替可能に構成するものとされる。
【００６４】
これにより、従来のような着脱式の培土器を用いなくても、常時取り付けたままの畝立て板３６を用いて畝立て作業を行うことができる。また、畝立て板３６をスライドさせるだけの簡単な操作で畝立て作業状態と非畝立て作業状態とを切り替えて、畝立て作業を行うか否かを容易に変更することができる。しかも、畝を成形する場合には、畝立て板３６をスライドさせるときに、その耕耘カバー３３からの突出量を調整することによって、成形する畝の形状を適宜に変更することができる。
【００６５】
その結果、畝を成形しない場合に、畝立て板を収納する外部の保管スペースを用意する必要がなくなる。さらに、畝を成形するための部材の軽量化や小型化を図り、耕耘部をコンパクトに構成することができるとともに、そのコストを低減することができる。そして、歩行型耕耘管理機１全体の重心が後寄りにならなくなり、ハンドル１２の操作荷重が減少して、ハンドル１２の操作を容易に行うことができる。前記培土器を用いる場合に比べて、作業者の足元にスペースの余裕ができ、歩行型耕耘管理機１の操作を安定して行うことができる。
【００６６】
本発明の一実施形態に係る歩行型耕耘管理機１は、また、畝立て板３６は耕耘カバー３３の後部の外周面に沿った曲面を有する板体で構成するものとされる。
【００６７】
これにより、畝立て板３６を耕耘カバー３３に対して円滑にスライドさせることができる。
【００６８】
本発明の一実施形態に係る歩行型耕耘管理機１は、また、畝立て板３６は耕耘カバー３３の内側に配置するものとされる。
【００６９】
これにより、畝立て板３６を耕耘カバー３３に簡単に取り付けてスライド可能に構成することができる。
【００７０】
本発明の一実施形態に係る歩行型耕耘管理機１は、また、畝立て板３６は耕耘カバー３３の外側に配置するものとされる。
【００７１】
これにより、畝立て板３６を耕耘カバー３３に簡単に取り付けてスライド可能に構成することができる。
【００７２】
本発明の一実施形態に係る歩行型耕耘管理機１は、また、ロータリ耕耘装置３０は、耕耘カバー３３の後部に当該耕耘カバー３３に対して略上下方向に回動可能に取り付けた耕耘回動カバー３８を有し、畝立て板３６は、耕耘回動カバー３８の円弧状の曲面に沿ってその円弧方向にスライド可能に取り付け、そのスライドによって、この耕耘回動カバー３８から土壌に向かって突出して接地する畝立て作業状態と、耕耘カバー３３から土壌に向かって突出しない非畝立て作業状態とに切替可能に構成するものとされる。
【００７３】
これにより、従来のような着脱式の培土器を用いなくても、常時取り付けたままの畝立て板３６を用いて畝立て作業を行うことができる。また、畝立て板３６をスライドさせるだけの簡単な操作で作業状態と非畝立て作業状態とを切り替えて、畝立て作業を行うか否かを容易に変更することができる。しかも、畝を成形する場合には、畝立て板３６をスライドさせるときに、耕耘回動カバー３８を回動させて、畝立て板３６の耕耘カバー３３からの突出量を調整することが可能となり、その突出量の調整によって、成形する畝の形状をより大きな範囲で適宜に変更することができる。
【００７４】
その結果、畝を成形しない場合でも、畝立て板３６を収納する外部の保管スペースを用意する必要がなくなる。さらに、畝を成形するための部材の軽量化や小型化を図り、耕耘部３をコンパクトに構成することができるとともに、そのコストも低減することができる。そして、歩行型耕耘管理機１全体の重心が後寄りにならなくなり、ハンドル１２の操作荷重が減少して、ハンドル１２の操作を容易に行うことができる。作業者の足元にスペースの余裕ができ、歩行型耕耘管理機１の操作を安定して行うことができる。
【図面の簡単な説明】
【００７５】
【図１】本発明の一実施形態に係る歩行型耕耘管理機の全体的な構成を示す側面図。
【図２】（ａ）畝立て板を非畝立て作業状態とした場合における耕耘部の第一実施形態の構成を示す側面図。（ｂ）畝立て板を畝立て作業状態とした場合における耕耘部の第一実施形態の構成を示す側面図。
【図３】（ａ）畝立て板を非畝立て作業状態とした場合における耕耘部の第一実施形態の構成を示す斜視図。（ｂ）畝立て板を畝立て作業状態とした場合における耕耘部の第一実施形態の構成を示す斜視図。
【図４】（ａ）耕耘部の第一および第三実施形態における畝立て板の構成を示す側面図。（ｂ）耕耘部の第一および第三実施形態における畝立て板の構成を示す平面図。
【図５】（ａ）畝立て板を非畝立て作業状態とした場合における耕耘部の第二実施形態の構成を示す斜視図。（ｂ）畝立て板を畝立て作業状態とした場合における耕耘部の第二実施形態の構成を示す斜視図。
【図６】（ａ）耕耘部の第二実施形態における畝立て板の構成を示す側面図。（ｂ）耕耘部の第二実施形態における畝立て板の構成を示す平面図。
【図７】（ａ）畝立て板を非畝立て作業状態とした場合における耕耘部の第三実施形態の構成を示す側面図。（ｂ）畝立て板を畝立て作業状態とした場合における耕耘部の第二実施形態の構成を示す側面図。
【図８】（ａ）畝立て板を非畝立て作業状態とした場合における耕耘部の第三実施形態の構成を示す斜視図。（ｂ）畝立て板を畝立て作業状態とした場合における耕耘部の第二実施形態の構成を示す斜視図。
【図９】畝立て板をその突出量を最大として畝立て作業状態とした場合における耕耘部の第三実施形態の構成を示す側面図。
【符号の説明】
【００７６】
３０    ロータリ耕耘装置
３３    耕耘カバー
３３ｃ  長孔
３４    尾輪装置
３５    ゴムたれ
３６    畝立て板
３８    耕耘回動カバー
【図１】
2010104302.tif 000003
【図２】
2010104302.tif 000004
【図３】
2010104302.tif 000005
【図４】
2010104302.tif 000006
【図５】
2010104302.tif 000007
【図６】
2010104302.tif 000008
【図７】
2010104302.tif 000009
【図８】
2010104302.tif 000010
【図９】
2010104302.tif 000011